(57)【特許請求の範囲】
【請求項１】
下着の上に着用される衣類であって、前記衣類は、前記衣類の着用時に前記衣類の着用者の右足が挿入される右側開口部と、前記衣類の着用時に前記衣類の着用者の左足が挿入される左側開口部と、前記右側開口部と前記左側開口部の間に画成された股部と、前記衣類の内面に着脱自在に取り付けられた尿吸収パッドとを有し、前記尿吸収パッドは、前記右側開口部を通って前記衣類の前後方向に伸びる右側縁と、前記左側開口部を通って前記衣類の前後方向に伸びる左側縁と、前記衣類の内面の前記股部の少なくとも一部を覆うように前記右側縁と前記左側縁の間に延在する吸収部とを有し、前記衣類の内面に、前記尿吸収パッドの前記右側縁の両端部と前記尿吸収パッドの前記左側縁の両端部との四か所のみを、それぞれ、面ファスナーによって着脱自在に取り付け、前記尿吸収パッドの前記吸収部には、前記衣類が着用された時に、前記衣類の前記股部に沿って前記衣類の前後方向に延在する陵部と、前記陵部と前記右側縁の間に画成され、かつ、前記衣類の着用者の右足の鼠蹊部付近の内腿に沿って延在する、右内腿尿受け面と、前記陵部と前記左側縁の間に画成され、かつ、前記衣類の着用者の左足の鼠蹊部付近の内腿に沿って延在する、左内腿尿受け面とが形成されることを特徴とする、衣類。
【請求項２】
請求項１に記載された衣類において、前記尿吸収パッドの前記右側縁に、前記衣類の着用者の右足の鼠蹊部付近の内腿に沿って凹状に湾曲する右側湾曲縁を形成し、前記尿吸収パッドの前記左側縁に、前記衣類の着用者の左足の鼠蹊部付近の内腿に沿って凹状に湾曲する左側湾曲縁を形成し、前記衣類が着用された時に、前記右側湾曲縁に沿って前記右内腿尿受け面が画成され、前記左側湾曲縁に沿って前記左内腿尿受け面が画成されることを特徴とする、前記衣類。
【請求項３】
請求項１又は２に記載された衣類において、前記右内腿尿受け面は前記衣類の着用者の右足の内腿に沿う凹状曲面を成し、前記左内腿尿受け面は前記衣類の着用者の左足の内腿に沿う凹状曲面を成すことを特徴とする、前記衣類。
【請求項４】
請求項１又は２又は３に記載された衣類において、前記衣類が着用された時に、前記尿吸収パッドの前記陵部に前記衣類の前記股部に向かう押圧力が作用し、前記尿吸収パッドの前記右側縁に前記右側縁に沿う引張り力が作用し、前記尿吸収パッドの前記左側縁に前記左側縁に沿う引張り力が作用するように、前記衣類に前記尿吸収パッドを取り付け、前記尿吸収パッドの前記右側縁に作用する引張り力によって、前記右内腿尿受け面を前記衣類の着用者の右足の内腿に密着させ、前記尿吸収パッドの前記左側縁に沿う引張り力によって、前記左内腿尿受け面を前記着用者の左足の内腿に密着させることを特徴とする、前記衣類。
【請求項５】
請求項１乃至４のうちのいずれか一項に記載された衣類において、前記尿吸収パッドは全体として方形を成し、前記尿吸収パッドの四隅に取り付けられた前記面ファスナーによって、前記衣類の内面に着脱自在に取り付けられることを特徴とする、前記衣類。
【請求項６】
請求項１乃至５のうちのいずれか一項に記載された衣類において、前記尿吸収パッドは防臭機能を有することを特徴とする、前記衣類。
【請求項７】
請求項１乃至６のうちのいずれか一項に記載された衣類において、前記下着は、尿吸収パッドを備えたショーツ、尿吸収パッドを備えたブリーフ、おむつ、又は、使い捨ておむつであることを特徴とする、前記衣類。
【請求項８】
請求項１乃至７のうちのいずれか一項に記載された衣類において、前記下着の上に着用される衣類は股部を有する衣類であって、前記衣類は、ズボン、スラックス、パンツ、カルソンパンツ、オーバーパンツ、重ね穿きブルマー、アンダースコート、スパッツ、レギンス、短パンツ、タイツ、キュロットスカート、パンタロン、パンタクール、ユニタード、ジャンプスーツ、又は、バミューダショーツであることを特徴とする、前記衣類。
【請求項９】
請求項８に記載された衣類において、前記パンツ又はズボンは、ホームウェア、部屋着、又は、パジャマのパンツ又はズボンであることを特徴とする、前記衣類。
【請求項１０】
請求項８に記載された衣類において、前記オーバーパンツ又は前記重ね穿きブルマー又はアンダースコートは、面ファスナーによって、スカート又は巻きスカートに着脱自在に取り付けられることを特徴とする、前記衣類。
【発明の詳細な説明】
【技術分野】
【０００１】
本発明は、下着の上に着用される衣類に関し、更に詳細に述べると、ズボン、スラックス、オーバーパンツ、重ね履きブルマー等の股部を有する衣類であって、この衣類の内面に尿吸収パッドを有する衣類に関するものである。
【背景技術】
【０００２】
従来、失禁しやすい高齢者や病人が快適に生活することができるように、種々の失禁パンツや失禁ショーツ、使い捨ておむつ、尿吸収パッド等が提案されている。
【０００３】
例えば、実用新案登録第３００７８２９号公報は、失禁者や高齢者あるいは病人などが着用する失禁パンツの内面に着脱自在に取り付けられる失禁パッドを開示する。この失禁パッドは、吸収部材と、この吸収部材の下面を被覆して上面の周辺へ折り返される透湿性防水布を、袋縫いで一体的に縫着して構成される。この失禁パッドの上辺部には、吸水性ポリマーシートの挿脱口が設けられ、また、この失禁パッドの裏面側には面ファスナー又はマジックテープ（登録商標）が取り付けられている。更に、この吸収部材は、吸水布、消臭布、保水布を積層して縫着されている。
【０００４】
また、特開２００４−３００７８２９号公報は、ショーツの内部にパッドを装着する生理用ショーツ、失禁用ショーツ、産褥用ショーツ、医療用ショーツ等として公的に用いられ、パッドのズレを発生させないように安定的に保持し、就寝時に発生しやすい液の後漏れ、横漏れを確実に防止するための股部を有する衣類及び股部を有する衣類用アダプターを開示する。
【０００５】
また、特願２００４−３２９３０２号公報は、体液透過性のトップシートと体液透過性のバックシートとの間に吸収体を介在させた尿吸収パッドにおいて、身体側から吸収体側へ通じる孔が形成されたシートをトップシートとして用いることにより、ウェットバックを防止することができる体液吸収性パッドおよび体液吸収性物品を開示する。
【０００６】
また、特開２０１２−２００２９６号公報は、吸収体が下着の動きに追従して変形し難い形状を有し、大量の尿が排出された場合にも漏れを生じ難い尿吸収パッドを開示する。
【０００７】
しかしながら、いずれの失禁パンツ、失禁ショーツ、使い捨ておむつ、尿吸収パッド等によっても、尿の漏れを完全に防止することはできない。失禁ショーツや使い捨ておむつ等から漏れた尿は、内腿を伝って膝方向へ流下し、失禁ショーツや使い捨ておむつの着用者に不快な思いをさせる。
【先行技術文献】
【特許文献】
【０００８】
【特許文献１】実用新案登録第３００７８２９号号公報
【特許文献２】特開２００４−３２１５８９号公報
【特許文献３】特開２００４−３２９３０２号号公報
【特許文献４】特開２０１２−２００２９６号公報
【発明の概要】
【発明が解決しようとする課題】
【０００９】
本発明の目的は、失禁パンツ、失禁ショーツ、尿吸収パッドを装着した下着、使い捨ておむつ等の種々の下着類の上に着用される衣類であって、これらの下着類から漏れた尿が着用者の内腿を伝って流下することを防止し、着用者が快適な日常生活を送ることができるようにするための衣類を提供することにある。
【課題を解決するための手段】
【００１０】
上述の目的を達成するため、本発明の衣類は、下着の上に着用される衣類であって、前記衣類は、前記衣類の着用時に前記衣類の着用者の右足が挿入される右側開口部と、前記衣類の着用時に前記衣類の着用者の左足が挿入される左側開口部と、前記右側開口部と前記左側開口部の間に画成された股部と、前記衣類の内面に着脱自在に取り付けられた尿吸収パッドとを有し、前記尿吸収パッドは、前記右側開口部を通って前記衣類の前後方向に伸びる右側縁と、前記左側開口部を通って前記衣類の前後方向に伸びる左側縁と、前記衣類の内面の前記股部の少なくとも一部を覆うように前記右側縁と前記左側縁の間に延在する吸収部とを有し、前記衣類の内面に、前記尿吸収パッドの前記右側縁の両端部と前記尿吸収パッドの前記左側縁の両端部との四か所のみを、それぞれ、面ファスナーによって着脱自在に取り付け、前記尿吸収パッドの前記吸収部には、前記衣類が着用された時に、前記衣類の前記股部に沿って前記衣類の前後方向に延在する陵部と、前記陵部と前記右側縁の間に画成され、かつ、前記衣類の着用者の右足の鼠蹊部付近の内腿に沿って延在する、右内腿尿受け面と、前記陵部と前記左側縁の間に画成され、かつ、前記衣類の着用者の左足の鼠蹊部付近の内腿に沿って延在する、左内腿尿受け面とが形成されることを特徴とする。
【００１１】
本発明の衣類は、また、前記尿吸収パッドの前記右側縁に、前記衣類の着用者の右足の鼠蹊部付近の内腿に沿って凹状に湾曲する右側湾曲縁を形成し、前記尿吸収パッドの前記左側縁に、前記衣類の着用者の左足の鼠蹊部付近の内腿に沿って凹状に湾曲する左側湾曲縁を形成し、前記衣類が着用された時に、前記右側湾曲縁に沿って前記右内腿尿受け面が画成され、前記左側湾曲縁に沿って前記左内腿尿受け面が画成されることを特徴とする。
【００１２】
本発明の衣類は、また、前記右内腿尿受け面は前記衣類の着用者の右足の内腿に沿う凹状曲面を成し、前記左内腿尿受け面は前記衣類の着用者の左足の内腿に沿う凹状曲面を成すことを特徴とする。
【００１３】
本発明の衣類は、また、前記衣類が着用された時に、前記尿吸収パッドの前記陵部に前記衣類の前記股部に向かう押圧力が作用し、前記尿吸収パッドの前記右側縁に前記右側縁に沿う引張り力が作用し、前記尿吸収パッドの前記左側縁に前記左側縁に沿う引張り力が作用するように、前記衣類に前記尿吸収パッドを取り付け、前記尿吸収パッドの前記右側縁に作用する引張り力によって、前記右内腿尿受け面を前記衣類の着用者の右足の内腿に密着させ、前記尿吸収パッドの前記左側縁に沿う引張り力によって、前記左内腿尿受け面を前記着用者の左足の内腿に密着させることを特徴とする。
【００１４】
本発明の衣類に取り付けられる前記尿吸収パッドは、全体として方形を成し、前記尿吸収パッドに取り付けられた前記面ファスナー又はマジックテープ（登録商標）によって、本発明の衣類の内面に着脱自在に取り付けることができる。
【００１５】
本発明の衣類に取り付けられる尿吸収パッドは、防臭機能を有する尿吸収パッドで構成することができる。
【００１６】
本発明の衣類の下に着用される下着は、尿吸収パッドを備えたショーツ、尿吸収パッドを備えたブリーフ、おむつ、使い捨てのおむつ等の失禁対策用下着であることができる。
【００１７】
本発明の衣類は、ズボン、スラックス、パンツ、カルソンパンツ、オーバーパンツ、重ね穿きブルマー、アンダースコート、スパッツ、レギンス、短パンツ、タイツ、キュロットスカート、パンタロン、パンタクール、ユニタード、ジャンプスーツ、バミューダショーツ等の股部を有する衣類である。
【００１８】
本発明の衣類は、ホームウェア、部屋着、パジャマ等のパンツ又はズボンであることができる。
【００１９】
本発明の衣類としてのオーバーパンツ、重ね穿きブルマー、アンダースコートは、面ファスナー又はマジックテープ（登録商標）によって、スカート又は巻きスカートに着脱自在に取り付けることができる。このとき、スカート又は巻きスカートは、本発明の衣類としてのオーバーパンツ、重ね穿きブルマー、アンダースコートの上に着用される。
【発明の効果】
【００２０】
失禁パンツや使い捨ておむつ等の失禁対策用下着から漏れた尿は、これらの下着の着用者の内腿を伝って流下し、着衣や寝具に染みや匂いを付着させる。本発明の衣類の内面に取り付けられた尿吸収パッドは、衣類の右側開口部を通って衣類の前後方向に伸びる右側縁と、衣類の左側開口部を通って衣類の前後方向に伸びる左側縁と、衣類の内面の股部の少なくとも一部を覆うように、尿吸収パッドの右側縁と左側縁の間に延在する吸収部とを有する。この吸収部には、衣類が着用された時に、衣類の股部に沿って衣類の前後方向に延在する陵部が形成され、この吸収部の陵部と尿吸収パッドの右側縁の間の領域は、衣類の右側開口部の股部側の内面に沿って延在する。そして、尿吸収パッドの右内腿尿受け面は、この吸収部の陵部と尿吸収パッドの右側縁の間に画成されるから、尿吸収パッドの右内腿尿受け面を着用者の右足の鼠蹊部付近の内腿に沿って配置することができる。同様に、尿吸収パッドの吸収部に形成された陵部を挟んで尿吸収パッドの左側縁の側では、この陵部と左側縁の間の吸収部の領域が、衣類の左側開口部の股部側の内面に沿って延在する。したがって、この陵部と左側縁の間の吸収部の領域に画成された尿吸収パッドの左内腿尿受け面を、着用者の左足の鼠蹊部付近の内腿に沿って配置することができる。これにより、本発明の衣類の下に着用された下着類から内腿に漏れ出た尿は、尿吸収パッドの右内腿尿受け面及び／又は左内腿尿受け面によって捕捉される。
【００２１】
また、本発明の衣類の内面に取り付けられた尿吸収パッドの吸収部は、衣類が着用された時に衣類の股部付近で屈曲し、これによって、尿吸収パッドの吸収部には、本発明の衣類の下に着用された下着類の股部に向かって隆起した陵部を形成する。この陵部は、本発明の衣類の前後方向に延在し、本発明の衣類の股部を通る股ぐり線に沿って凹状に湾曲することができる。尿吸収パッドの吸収部に形成された陵部を挟んで、尿吸収パッドの右側縁の側では、尿吸収パッドの吸収部が陵部から右側縁に向かって傾斜して延在し、これによって、尿吸収パッドの吸収部は、本発明の衣類の下に着用された下着類に沿って湾曲して延在し、着用者の右足の鼠蹊部付近を経て、着用者の右足の内腿に至る。同様に、尿吸収パッドの吸収部に形成された陵部を挟んで、尿吸収パッドの左側縁の側では、尿吸収パッドの吸収部が陵部から左側縁に向かって傾斜して延在し、これによって、尿吸収パッドの吸収部は、本発明の衣類の下に着用された下着類に沿って湾曲して延在し、着用者の左足の鼠蹊部付近を経て、着用者の左足の内腿に至る。したがって、例えば、就寝中に、本発明の衣類の下に着用された下着類から着用者の鼠蹊部に漏れた尿が、着用者の内腿に沿って流下することなく、下着類の股部に向かって流れた場合にも、尿吸収パッドの吸収部によって尿を捕捉することができる。また、尿吸収パッドの吸収部に形成された陵部は、尿の流動を阻止する障壁として機能するから、例えば、就寝中に寝返りを打った場合に、尿が陵部の反対側に流れることが阻止され、尿の漏れを防止することができる。
【００２２】
また、尿吸収パッドの右側縁に、衣類の着用者の右足の鼠蹊部付近の内腿に沿って凹状に湾曲する右側湾曲縁を形成し、尿吸収パッドの前記左側縁に、衣類の着用者の左足の鼠蹊部付近の内腿に沿って凹状に湾曲する左側湾曲縁を形成すれば、尿吸収パッドの右側縁と左側縁を着用者の内腿に密着させることができる。したがって、右側湾曲縁に沿って配置された右内腿尿受け面と、左側湾曲縁に沿って配置された左内腿尿受け面による尿の捕捉効果を向上させることができる。
【００２３】
また、尿吸収パッドの右内腿尿受け面を、衣類の着用者の右足の内腿に沿う凹状曲面とし、尿吸収パッドの左内腿尿受け面を、衣類の着用者の左足の内腿に沿う凹状曲面とすれば、右内腿尿受け面と左内腿尿受け面の内腿に対する接触面積を増大させることができるから、尿の捕捉効果を更に向上させることができる。
【００２４】
また、本発明の衣類が着用された時に、尿吸収パッドの陵部に衣類の前記股部に向かう押圧力が作用し、尿吸収パッドの右側縁に右側縁に沿う引張り力が作用し、尿吸収パッドの左側縁に左側縁に沿う引張り力が作用するように、衣類に尿吸収パッドを取り付ければ、尿吸収パッドの右側縁に作用する引張り力によって、右内腿尿受け面を衣類の着用者の右足の内腿に密着させることができると共に、尿吸収パッドの左側縁に沿う引張り力によって、左内腿尿受け面を着用者の左足の内腿に密着させることができる。これにより、尿の捕捉効果を更に増進させることができる。
【００２５】
また、全体として方形の尿吸収パッドの四隅にそれぞれ面ファスナー又はマジックテープ（登録商標）を取り付け、これらの面ファスナー又はマジックテープ（登録商標）によって尿吸収パッドを衣類の内面に着脱自在に取り付けることにすれば、衣類に対する尿吸収パッドの四隅の取り付け位置を変更することによって、尿吸収パッドの右側縁に沿う引張り力の大きさと、尿吸収パッドの左側縁に沿う引張り力の大きさを任意の大きさに調節することができる。これにより、右内腿尿受け面の右足の内腿に対する密着力と、左内腿尿受け面の左足の内腿に対する密着力を調節することができる。更に、尿吸収パッドを衣類の内面に着脱自在に取り付けることにすれば、尿吸収パッドのみを交換することができる。
【００２６】
また、尿吸収パッドに防臭機能を付加すれば、本発明の衣類の着用者の快適性を更に増進させることができる。
【００２７】
なお、本発明の衣類の下に着用される下着は、尿吸収パッドを備えたショーツ、尿吸収パッドを備えたブリーフ、おむつ、使い捨てのおむつ等の失禁対策用下着であることができる。しかし、軽失禁対策として本発明の衣類を着用する場合には、通常の下着の上に本発明の衣類を着用することもできる。
【００２８】
本発明の衣類として、ズボン、スラックス、パンツ、カルソンパンツ、オーバーパンツ、重ね穿きブルマー、アンダースコート、スパッツ、レギンス、短パンツ、タイツ、キュロットスカート、パンタロン、パンタクール、ユニタード、ジャンプスーツ、バミューダショーツを例示することができる。言うまでもなく、本発明の衣類は股部を有する衣類であれば良いから、これらの衣類に限定されない。
【００２９】
また、本発明の衣類としてのパンツ又はズボンは、ホームウェア、部屋着、パジャマ等のパンツ又はズボンを選択することができる。
【００３０】
そして、本発明の衣類としてオーバーパンツ、重ね穿きブルマー、アンダースコートを選択する場合には、これらの衣類を面ファスナー又はマジックテープ（登録商標）によってスカート又は巻きスカートに着脱自在に取り付けるように構成することができる。スカートや巻きスカートに面ファスナー又はマジックテープ（登録商標）によって取り付けられたオーバーパンツ等は、スカートや巻きスカートに覆われるから、外部から目視されないと共に、スカートや巻きスカートに係止されるから、尿吸収パッドのずれを防止することができる。
【００３１】
本発明のこの余の特徴及び利点は、図面を参照して記載される以下の実施例の説明から明らかになる。
【図面の簡単な説明】
【００３２】
【図１】図１は、本発明の衣類に取り付けられる尿吸収パッドの基本的な取り付け形態の斜視図である。（実施例１）
【図２】図２は、図１の尿吸収パッドの使用状態の斜視図である。（実施例１）
【図３】図３は、図1の尿吸収パッドの取り付け位置を示すズボンの左半身を中表にした状態（裏返した状態）の平面図である。（実施例１）
【図４】図４は、図1の尿吸収パッドの取り付け位置を示すズボンの右半身を中表の状態（裏返した状態）の平面図である。（実施例１）
【図５】図５は、本発明の衣類に取り付けられる尿吸収パッドの他の取り付け形態を示す斜視図であり、同時に、この尿吸収パッドの使用状態を示す斜視図である。（実施例２）
【図６】図６は、図５の尿吸収パッドの拡大斜視図である。（実施例２）
【図７】図７は、図６の尿吸収パッドの右側面図である。（実施例２）
【図８】図８は、図６の尿吸収パッドの平面図である。（実施例２）
【図９】図９は、図５乃至８の尿吸収パッドを衣類に取り付ける前の平面図である。（実施例２）
【図１０】図１０は、本発明のオーバーパンツを面ファスナー又はマジックテープ（登録商標）によって巻きスカートに係止した状態の巻きスカートの展開図である。（実施例３）
【発明を実施するための形態】
【００３３】
失禁対策用の下着類の上に着用される衣類であって、これらの下着類から漏れた尿を捕捉するための尿吸収パッドを備えた衣類である。この衣類は、ズボン、スラックス、パンツ、カルソンパンツ、オーバーパンツ、重ね穿きブルマー、アンダースコート、スパッツ、レギンス、短パンツ、タイツ、キュロットスカート、パンタロン、パンタクール、ユニタード、ジャンプスーツ、バミューダショーツ等の股部を有する衣類である。そして、尿吸収パッドの吸収部には、衣類が着用された時に、衣類の前後方向に延在する陵部と、衣類の着用者の右足の鼠蹊部付近の内腿に沿って延在する右内腿尿受け面と、衣類の着用者の左足の鼠蹊部付近の内腿に沿って延在する左内腿尿受け面とが形成される。
【実施例１】
【００３４】
図１乃至４は、本発明の第一実施例を示す。このうち、図１は、本発明の衣類に取り付けられる尿吸収パッドの基本的な取り付け形態を表す。同図中、参照番号１は股部を有する衣類の股ぐり線を示し、参照番号２は尿吸収パッド２を示す。尿吸収パッド２は皮膚に接触しても違和感を与えないように構成された柔軟なパッドであり、衣類に取り付けられる前の尿吸収パッド２の平面形状は全体として方形を成す。
【００３５】
尿吸収パッド２は、例えば、尿吸収パッド２の表面３から裏面４に向かって、特殊加工されたポリエステルフレンチパイルで構成された第１層と、ポリマー系の高吸収性不織布で構成された第２層と、透湿性を備えた防水フィルムで構成された第３層と、第１層と第２層の間に介在する空気層とを有する、シートによって構成することができる。第１層の材料は、ポリエステル１００％の東レ「マックスペック（登録商標）」であり、この材料の特徴は、水分を素早く吸収して濡れ感を軽減し、更に、優れた制菌作用を発揮することにある。第２層を構成する不織布は、ポリエステル５０％とアクリル５０％からなり、このうちアクリルは、抗菌アクリル３０％と「ランシール（登録商標）ＦＷ」（指定外繊維）２０％からなる。これにより、第２層を構成する不織布は、高い吸収性と保水性を備え、更に、抗菌防臭性に優れた繊維を使用することにより、高い消臭性も併せ持つことになった。第３層は、ポリウレタン１００％の透湿ポリウレタンフィルムラミネートで構成され、このラミネートは、無孔質フィルムでありながら透湿性を有する防水素材「サイトス（登録商標）」によって構成されている。
【００３６】
尿吸収パッド２の裏面の四隅部には、尿吸収パッド２を本発明の衣類の内面に着脱自在に取り付けるために、面ファスナー又はマジックテープ（登録商標）５、６、７、８が固定される。ここで、図３は、本発明の衣類として例示されたズボン９の左半身９ａを中表の状態（裏返した状態）にした平面図であり、図４は、図３の左半身９ａに対応するズボン９の右半身９ｂを中表の状態（裏返した状態）にした平面図である。ズボン９の左半身９ａには股ぐり１０が形成され、ズボン９の右半身９ｂには股ぐり１１が形成されている。ズボン９の左半身９ａと右半身９ｂを一体化するには、例えば、図４の右半身９ｂの表裏を反転させて、右半身９ｂを外表の状態とし、外表の状態の右半身９ｂの内部に、図３の中表の状態の左半身９ａを挿入する。そして、左半身９ａの股ぐり１０と右半身９ｂの股ぐり１１を重ね合わせ、左半身９ａと右半身９ｂを股ぐり１０、１１に沿って縫合する。これにより、ズボン９には、図１及び２に示すように、ズボン９の着用時にズボン９の着用者の右足が挿入される右側開口部１２と、ズボン９の着用時にズボン９の着用者の左足が挿入される左側開口部１３が形成され、右側開口部１２と左側開口部１３の間には、図１及び２に示すように、股部１４が画成される。ズボン９の股部１４とは、図３に示した左半身９の股ぐり１０の最奥部１０ｄと、図４に示した右半身９ｂの股ぐり１１の最奥部１１ｄとの縫合部とその付近の領域である。また、図１及び２に示した股ぐり線１は、図３及び４のズボン９の股部１４を通り、縫合された左半身９ａと右半身９ｂの股ぐり１０、１１に沿って、ズボン３の前後方向に伸びる仮想線である。
【００３７】
ズボン９の左半身９ａと右半身９ｂの内側には、尿吸収パッド２の面ファスナー又はマジックテープ（登録商標）５、６、７、８と係合するための面ファスナー又はマジックテープ（登録商標）１５、１６、１７、１８が固定される。面ファスナー１５、１６は、右半身９ｂの股ぐり１１の最奥部１１ｄを挟んでその前後に配置され、面ファスナー１７、１８は、左半身９の股ぐり１０の最奥部１０ｄを挟んでその前後に配置される。図１及び２に示すように、尿吸収パッド２をズボン９の内面の股部に取り付けるには、尿吸収パッド２の面ファスナー５をズボン９の面ファスナー１５に係合させ、尿吸収パッド２の面ファスナー６をズボン９の面ファスナー１６に係合させ、尿吸収パッド２の面ファスナー７をズボン９の面ファスナー１７に係合させ、尿吸収パッド２の面ファスナー８をズボン９の面ファスナー１８に係合させる。なお、図３及び４中、参照番号９ｃは右前パンツ構成材、９ｄは左前パンツ構成材、９ｅは右後パンツ構成材、９ｆは左後パンツ構成材を示す。また、図３及び４中、参照番号１５ａ、１６ａ、１７ａ、１８ａは、それぞれ、面ファスナー１５、１６、１７、１８に対応する面ファスナーを示し、これらの面ファスナー１５ａ、１６ａ、１７ａ、１８ａは、本発明の第二実施例で説明する尿吸収パッド１００をズボン９の内面に取り付けるために使用される。
【００３８】
尿吸収パッド２の面ファスナー又はマジックテープ（登録商標）５、６、７、８を、ズボン９の対応する面ファスナー又はマジックテープ（登録商標）１５、１６、１７、１８に係合させて、ズボン９の内面の股部１４に尿吸収パッド２を取り付けると、図１に示すように、尿吸収パッド２はズボン９の股ぐり線１を跨いで湾曲し、股ぐり線１に沿って陵部１９を形成する。この状態において、尿吸収パッド２の右側縁２０はズボン９の右側開口部１２を通って、ズボン９の前後方向に伸びる。また、尿吸収パッド２の左側縁２１はズボン９の左側開口部１３を通って、ズボン９の前後方向に伸びる。そして、尿吸収パッド２の吸収部２２は、尿吸収パッド２の右側縁２０と左側縁２１の間に延在して、ズボン９の股部１４の少なくとも一部を覆う。
【００３９】
図１に示したように、ズボン９の内面の股部１４に尿吸収パッド２を取り付けて、ズボン９を着用すると、着用者の下着の股部（図示せず。）によって尿吸収パッド２がズボン９の股部１４に向かって押圧され、ズポン９の前後方向に延在する陵部１９が、図２に示すように、股ぐり線１に沿って湾曲する。このとき、尿吸収パッド２の陵部１９と右側縁２０の間に延在する吸収部２２は、着用者の右足の内腿に沿って変形し、ズボン９の着用者の右足の鼠蹊部付近の内腿に沿って延在する右内腿尿受け面２３を形成する。また、尿吸収パッド２の陵部１９と左側縁２１の間に延在する吸収部２２は、着用者の左足の内腿に沿って変形し、ズボン９の着用者の左足の鼠蹊部付近の内腿に沿って延在する左内腿尿受け面２４を形成する。図２に示すように、右内腿尿受け面２３はズボン９の着用者の右足の内腿に沿う凹状曲面を成し、また、左内腿尿受け面２４はズボン９の着用者の左足の内腿に沿う凹状曲面を成す。
【００４０】
失禁パンツや使い捨ておむつ等の失禁対策用下着から漏れた尿は、これらの下着の着用者の内腿を伝って流下する。しかし、本発明によれば、尿吸収パッド２の陵部１９と右側縁２０の間の吸収部２２の領域が、ズボン９の右側開口部１２の内面に沿って延在し、尿吸収パッド２の右内腿尿受け面２３をズボン９の着用者の右足の鼠蹊部付近の内腿に沿って配置することができる。同様に、尿吸収パッド２の陵部１９と左側縁２２の間の吸収部２２の領域が、ズボン９の左側開口部１３の内面に沿って延在し、尿吸収パッド２の左内腿尿受け面２４をズボン９の着用者の左足の鼠蹊部付近の内腿に沿って配置することができる。これにより、ズボン９の下に着用された下着類から内腿に漏れ出た尿は、尿吸収パッド９の右内腿尿受け面２３と左内腿尿受け面２４によって捕捉され、着用者の内腿を伝わって流下することが防止される。
【００４１】
また、尿吸収パッド２の吸収部２２に形成された陵部１９を挟んで、尿吸収パッド２の右側縁２０の側では、尿吸収パッド２の吸収部２２が陵部１９から右側縁２０に向かって傾斜して延在する。同様に、尿吸収パッド２の左側縁２１の側では、尿吸収パッド２の吸収部２２が陵部１９から左側縁２１に向かって傾斜して延在する。したがって、例えば、就寝中に、本発明の衣類の下に着用された下着類から着用者の鼠蹊部に漏れた尿が、着用者の内腿に沿って流下することなく、下着類の股部に向かって流れた場合には、尿吸収パッド２の陵部１９が尿の流動を阻止する障壁となり、尿が陵部１９の反対側に流れることを阻止する。また、就寝中に寝返りを打った場合にも、同様である。陵部１９で流動が阻止された尿は、陵部１９と右側縁２０の間の傾斜した吸収部２２によって吸収され、また、陵部１９と左側縁２１の間の傾斜した吸収部２２によって吸収される。よって、かかる場合にも、尿の漏れを防止することができる。
【実施例２】
【００４２】
図５乃至９は、本発明の第二実施例を示す。この実施例の特徴は、衣類の内面に対する尿吸収パッド１００の取り付け位置を衣類の股ぐり線１に沿って前後方向に変更することにより、尿吸収パッド１００の尿吸収機能を増進させたことにある。具体的には、図９に示すように、尿吸収パッド１００の裏面１０１の四隅部に取り付けられた面ファスナー又はマジックテープ（登録商標）１０２、１０３、１０４、１０５を、図３及び４に衣類として例示されたズボン９に取り付けるとき、面ファスナー１０２、１０３を、右半身９ｂの股ぐり１１に沿って取り付けられた面ファスナー又はマジックテープ（登録商標）１５ａ、１６ａにそれぞれ係合させ、また、面ファスナー１０４、１０５を、左半身９ａの股ぐり１０に沿って取り付けられた面ファスナー又はマジックテープ（登録商標）１７ａ、１８ａにそれぞれ係合させる。ズボン９の面ファスナー１５ａ、１６ａ、１７ａ、１８ａは、第一実施例で説明した面ファスナー１５、１６、１７、１８よりも、ズボン９の前後方向により離れた位置にあるから、第二実施例の尿吸収パッド１００は第一実施例の尿吸収パッド２よりも、ズボン９の前後方向により長い範囲に延在する。以下、本発明の第二実施例に関して、尿吸収パッド１００の形態を説明する。
【００４３】
尿吸収パッド１００は皮膚に接触しても違和感を与えないように構成された柔軟なパッドであり、その断面構成は、尿吸収パッド２の断面構成と同様にすることができる。すなわち、尿吸収パッド１００は、例えば、尿吸収パッド１００の表面１０６から裏面１０１に向かって、特殊加工されたポリエステルフレンチパイルで構成された第１層と、ポリマー系の高吸収性不織布で構成された第２層と、透湿性を備えた防水フィルムで構成された第３層と、第１層と第２層の間に介在する空気層とを有する、シートによって構成することができる。これらの第１層乃至第３層を構成する材料の詳細は、第一実施例に関する尿吸収パッド２について説明したとおりである。もっとも、尿吸収パッド２の材料も、尿吸収パッド１００の材料も、このシートに限定されない。
【００４４】
衣類に取り付けられる前の尿吸収パッド１００の平面形状は、全体として方形を成すが、より正確には、図９に示すように、尿吸収パッド１００の右側縁１０７に、衣類の着用者の右足の鼠蹊部付近の内腿に沿って凹状に湾曲する右側湾曲縁１０８が形成され、尿吸収パッド１００の左側縁１０９に、衣類の着用者の左足の鼠蹊部付近の内腿に沿って凹状に湾曲する左側湾曲縁１１０が形成される。尿吸収パッド１００の吸収部１１１は、尿吸収パッド２の吸収部２２と同様に、右側縁１０７と左側縁１０９の間に延在する。
【００４５】
図５に示すように、尿吸収パッド１００の面ファスナー又はマジックテープ（登録商標）１０２、１０３、１０４、１０５を、ズボン９の対応する面ファスナー又はマジックテープ（登録商標）に係合させて、尿吸収パッド１００をズボン９の内面の股部１４に取り付けると、尿吸収パッド１００はズボン９の股ぐり線１を跨いで湾曲し、股ぐり線１に沿って陵部１１２を形成する。尿吸収パッド１００は、尿吸収パッド２よりも、ズボン９の前後方向により長い範囲に延在するから、陵部１１２は尿吸収パッド１００の中央部にのみ形成され、陵部１１２の前方にはズボン９の内面に沿って湾曲する前方湾曲部１１３が形成され、陵部１１２の後方にはズボン９の内面に沿って湾曲する後方湾曲部１１４が形成される。また、この状態において、尿吸収パッド１００の右側縁１０７はズボン９の右側開口部１２を通って、ズボン９の前後方向に伸び、尿吸収パッド１００の左側縁１０９はズボン９の左側開口部１３を通って、ズボン９の前後方向に伸びている。そして、尿吸収パッド１００の吸収部１１１は、尿吸収パッド１００の右側縁１０７と左側縁１０９の間に延在して、ズボン９の股部１４を覆うと共に、前方湾曲部１１３と後方湾曲部１１４によって、ズボン９の股部１４の前後部分を覆う。
【００４６】
図５に示すように、尿吸収パッド１００を取り付けたズボン９が着用され、着用者の右足がズボン９の右側開口部１２に挿入されると、尿吸収パッド１００の吸収部１１１には、右側湾曲縁１０８に沿って右内腿尿受け面１１５が画成され、また、着用者の左足がズボン９の左側開口部１３に挿入されると、尿吸収パッド１００の吸収部１１１には、左側湾曲縁１１０に沿って左内腿尿受け面１１６が画成される。そして、着用者の下着１１７の股部１１８が尿吸収パッド１００の陵部１１２をズボン９の股部１４に向かって押圧すると、尿吸収パッド１００の右側縁１０７に右側湾曲縁１０８に沿う引張り力が作用し、前記尿吸収パッドの左側縁１０９に左側湾曲縁１１０に沿う引張り力が作用する。これにより、右内腿尿受け面１１５を着用者の右足の内腿に密着させ、左内腿尿受け面１１６を着用者の左足の内腿に密着させることができる。
【実施例３】
【００４７】
図１０は、本発明の衣類としてのオーバーパンツ乃至アンダースコート２００に尿吸収パッド１００を着脱自在に取り付け、このオーバーパンツ乃至アンダースコート２００を面ファスナー又はマジックテープ（登録商標）２０１によって、巻きスカート２０２の内面に着脱自在に取り付けた実施例を示す。面ファスナー又はマジックテープ（登録商標）２０１は、オーバーパンツ乃至アンダースコート２００の腰部の外面の中央部と、巻きスカート２０２の腰部の内面の中央部に、それぞれ固定され、オーバーパンツ乃至アンダースコート２００が巻きスカート２０２に対して位置ずれすることを防止する。図１０中、参照番号１２はオーバーパンツ乃至アンダースコート２００の右側開口部を示し、１３は左側開口部を示し、１４は股部を示す。その余の構成は、前述の第一実施例及び第二実施例と同様である。
【産業上の利用可能性】
【００４８】
本発明は、種々の衣類に適用することができるから、失禁対策として汎用性が高い。
【符号の説明】
【００４９】
１    股ぐり線
２    尿吸収パッド
５、６、７、８    面ファスナー
１２  衣類の右側開口部
１３  衣類の左側開口部
１４  衣類の股部
１９  尿吸収パッドの陵部
２０  尿吸収パッドの右側縁
２１  尿吸収パッドの左側縁
２２  尿吸収パッドの吸収部
２３  尿吸収パッドの右内腿尿受け面
２４  尿吸収パッドの左内腿尿受け面
【図１】
0006372716.tif 000002
【図２】
0006372716.tif 000003
【図３】
0006372716.tif 000004
【図４】
0006372716.tif 000005
【図５】
0006372716.tif 000006
【図６】
0006372716.tif 000007
【図７】
0006372716.tif 000008
【図８】
0006372716.tif 000009
【図９】
0006372716.tif 000010
【図１０】
0006372716.tif 000011